(57)【要約】【課題】柩に安置された遺体の凍結抑止、劣化抑止、変敗抑止、乾燥抑止、腐臭発生抑止等を行うことが可能な、柩保存装置を提供する。【解決手段】遺体を安置した柩を収容する柩収容室と、機械室とを有し、柩収容室の蓋は透明な非導電材料で構成され、記蓋以外の部分は金属で構成れ、柩収容室の底部には柩収容室の金属部分と絶縁された電極板が配置され、機械室には、商用電力から変圧器により交流高電圧を出力する電場発生用電源と、冷却装置が収納される。さらに、柩収容室に消臭装置を配置する。【選択図】図１
2017118892.tif 000002
【特許請求の範囲】
【請求項１】
柩を保存する装置であって、該装置は、
遺体を安置した柩を収容する柩収容室と、機械室とを有し、
前記柩収容室は、前記柩収容室の蓋は透明な非導電材料で構成され、前記蓋以外の部分は金属で構成され、
前記柩収容室の底部には前記柩収容室の金属部分と絶縁された電極板が配置され、
前記機械室には、商用電力から変圧器により交流高電圧を出力する電場発生用電源と、冷却装置が収納されたことを特徴とする、柩保存装置。
【請求項２】
前記柩収容室に消臭装置が配置されたことを特徴とする、請求項１の柩保存装置。
【発明の詳細な説明】
【技術分野】
【０００１】
本発明は柩に安置された遺体を０℃以下の低温でありながら凍結することなく保存することが可能な装置に係る。
【背景技術】
【０００２】
死後火葬が行われるまでには葬儀等に要する時間が必要であり、その間遺体を損傷することなく安定に保存しなければならない。また、火葬施設の都合等で短時日内に火葬することができず、長期間保存せざるを得ないことがある。
【０００３】
従来、遺体の保存は冷却装置により、−２℃程度以下の低温で行われているが、−２℃程度以下の低温で保存すると凍結、乾燥、結露等により遺体が劣化する。
【０００４】
特開平１０−３２８２５８号公報にあるように遺体は冷蔵装置、冷凍装置あるいはドライアイスを利用して冷蔵保存されるが、冷蔵温度は０℃以上の温度であるため、長期間保存すると内臓等が腐敗する。また、冷蔵庫内は低湿度環境であるため遺体が過度に乾燥する。
【０００５】
冷凍保存の場合には腐敗による遺体損傷の問題はないが、解凍が必要となり、解凍の際に遺体が損傷される。
【０００６】
ドライアイスを使用する場合は、装置内で行わないため遺体保存の効果が限定的であるだけでなく、冷却材料として用いるドライアイスの費用は高額である。
【０００７】
交流強電場にある水が−５℃という氷点下の温度でも凍結しない現象が知られている。この現象は水だけの状態だけではなく、水が他の物質と共存している状態、例えば細胞内の水においても同様であり、この現象を利用した冷蔵及び解凍を行う装置が特開２００２−２０６８５２号公報等に示されている。
【０００８】
被処理物と電場の関係は大別して、交番高電圧が印加される電極の間に被処理物を置くもの、交番高電圧が印加される電極の外部に被処理物を置くものがある。
【０００９】
ＷＯ２００４／１１０１７９号公報に示された交番高電圧の一方が接地され、他方のみが電極に印加され、被処理物を電極から接地された無限遠方に向かう電界中に置くものがある。
【００１０】
高電圧が印加される２枚の電極板の間にどちらの電極にも接続されていない浮電極板を配置し、高電圧が印加される２枚の電極板の間に生成される電場を均一にした冷蔵装置がＷＯ２０１４／０４２２７１号公報に示されている。
【先行技術文献】
【特許文献】
【００１１】
【特許文献１】特開平１０−３２８２５８号公報
【特許文献２】特開２００２−２０６８５２号公報
【特許文献３】ＷＯ２００４／１１０１７９号公報
【特許文献４】ＷＯ２０１４／０４２２７１号公報
【発明の概要】
【発明が解決しようとする課題】
【００１２】
従来の遺体の保存安定方法では低温保存温度が−２℃程度以下に温度設定をすると、遺体の凍結、乾燥、結露等問題が発生し、士０℃程度以上に湿度設定をすると、遺体の劣牝、変敗、悪臭等の発生抑制が極めて難しい。
【００１３】
本出願に係る発明は、柩に安置された遺体の劣化及び変敗を抑止し、長期間の保存を可能とする装置を提供することを課題とする。
【課題を解決するための手段】
【００１４】
本出願に係る発明においては、遺体が安置された柩を収納し、零下に冷却するとともに交流高電圧電場を印加する。
さらに、遺体の乾燥を防止する湿度調節装置と、死臭を分解する消臭装置とを備える。
【発明の効果】
【００１５】
本発明にかかる電場処理遺体保存装置を用いる事により、それらの問題を解決し、冷却材料としで用いるドライアイスの消費量が高額となる問題も解決される。
【００１６】
遺体収容装置の内部に交流高電圧電場を印加することにより、遺体収容装置を−５℃という氷結温度下にしても、遺体が凍結することなく、解凍による遺体の腐敗・損傷が防止される。
【図面の簡単な説明】
【００１７】
【図１】本発明の柩保存装置の概略構造図
【図２】本発明の柩保存装置の第１の使用態様説明図
【図３】第１の使用態様の機能説明図
【図４】本発明の柩保存装置の第２の使用態様説明図
【図５】第２の使用態様の機能説明図
【発明を実施するための形態】
【００１８】
図１に、本発明の柩保存装置の概略構造図を示す。
図１において、（ａ）は柩保存装置の正面断面図、（ｂ）は側面断面図、（ｃ）は平面断面図、（ｄ）は電源回路の概略図、(e)使用態様の説明図である。
【００１９】
柩保存装置１は、遺体を安置した柩を収容する柩収容室２と付属装置である電場発生電源装置、冷却装置及び調湿装置を収容する機械室３から構成される。
【００２０】
柩収容室の上部蓋４を除いて柩収容室２及び機械室３はステンレス等の金属板で構成され、それぞれの面全てが電気的に接続されている。
柩収容室の上部蓋４は収容された柩に安置された遺体を外から見ることができるように、アクリル樹脂等の透明な非導電材料を用いる。
上部蓋は遺体の顔だけが見えるように顔の部分だけに限定することもできる。      
【００２１】
機械室３には、遺体保存のための電場を発生する電源装置、遺体を冷却する冷却装置、湿度を調節する調湿装置及び死臭を分解する消臭装置が収容される。
機械室３は、柩収容室と一体にすることも、別体にして分離可能とすることも可能である。
【００２２】
柩収容室２の底部には電極板５が配置されている。電極板５は、柩収容室の金属板とは絶縁されている。
【００２３】
（ｅ）に示したように、柩収容室２の横扉８は、下向きに回動させることにより開閉可能であり、（ｅ）に示すように柩６を柩収容室２に収容あるいは搬出可能にしてある。
７は柩の蓋であり、冷却装置、調湿装置及び消臭装置からの気流が循環するように、柩が柩収容室２に収容されている時には、適宜別の場所、例えば柩収容室２の上部に保管され、柩を搬出する際に柩本体６と組み合わされる。
【００２４】
（ｄ）に示す交番高電圧発生器の変圧器１０の一次側巻線の端子は、商用周波数の１００Ｖの交流電源９に接続される。
【００２５】
二次側巻線は、抵抗を介装しており、端子から６ｋＶ〜１０ｋＶ程度の交番高電圧が供給される。
なお、二次側巻線の一方の端子は接地される。
【００２６】
冷却装置は遺体を−７℃〜０℃に維持できるように冷却空気を供給する。
調湿装置は収容された遺体が過度に乾燥あるいは湿潤することで損傷しないように適切な湿度を維持する。
消臭装置は、マイナスイオン発生装置あるいはオゾン発生装置を用いて、柩内の空気を吸入処理し、死臭を分解し、外部に漏出しないようにする。
なお、機械室３内ではなく、柩収容室２内に配置することもできる。
【００２７】
図２により本発明の柩保存装置の第１の使用態様を説明する。
この使用態様では、遺体は２枚の薄板電極１１と１２の間にこれらの電極に電気的に接続されて安置される。遺体の顔が見えるように、遺体の顔の部分には上側の薄板電極１２は配置しない。
【００２８】
薄板電極１１と１２は、柩に遺体を収納する際に使用する寝具の一部として構成することもできる。
【００２９】
図１（ｄ）に示した電源の接地されていない側が、薄板電極１１と１２に接続され、大地に対して６〜１０ＫＶの商用周波数の高電圧が印加される。
【００３０】
図３により、このときの電気的な状態の概念を示す。
柩６の本体及び蓋７は通常は木材で構成されており、木材は導電性がなく、比誘電率も小さいため、電気力線はそのまま透過する。
【００３１】
印加する高電圧は商用電源から得られる交流であるから電気力線の方向は交流の極性が変わる毎に逆向きになる。そのため電気力線を表す矢印破線は、矢印が両方に向いている。
遺体は薄板電極１１及び１２に電気的に接続されているため、遺体自体が電極として機能し、電気力線を無限遠方に向かって放出する。
この電気力線により遺体中の水分の氷点が低下し、−３℃程度の低温で遺体を凍結させることなく保存することができる。
【００３２】
本発明の柩保存装置は長期間の遺体保存が可能であるため、冷却装置、消臭装置による循環気流により調湿装置のみによって遺体が乾燥することがある。
特に顔の乾燥は相貌が変化するので避ける必要がある。
その対策として、遺体の頭部周辺に風防を設ける。
【００３３】
図４及び図５により本発明の柩保存装置の第２の使用態様を説明する。
この使用態様では、薄板状電極１３が１枚だけ使用され、薄板状電極１３と遺体との電気的接続はされない。
板状電極５は、電源に接続され、板状電極５と薄板状電極１３とが電源の別の端子に接続され、板状電極５と薄板状電極１３との間に、交流高電圧が印加される。
【００３４】
交流高電圧により発生する電気力線は、板状電極５と薄板状電極１３との間に発生して、遺体の中を透過する。
この電気力線により遺体中の水分の氷点が低下し、−３℃程度の低温で遺体を凍結させることなく保存することができる。
【産業上の利用可能性】
【００３５】
本出願に係る発明によれば、遺体の凍結抑止、劣化抑止、変敗抑止、乾燥抑止、腐臭発生抑止等を行うことが可能であるいため、困難を伴いがちな遺体保存を有効に行うことができる。
【符号の説明】
【００３６】
１  柩保存装置
２  収容室
３  機械室
４  上部蓋
５  電極板
６  本体
７  柩の蓋
８  横扉
９  交流電源
１０  変圧器
１１，１２，１３  薄板電極
【図１】
2017118892.tif 000003
【図２】
2017118892.tif 000004
【図３】
2017118892.tif 000005
【図４】
2017118892.tif 000006
【図５】
2017118892.tif 000007